(57)【要約】【課題】前に視聴していた番組又は録画データを、番組名又はデータ名を覚えていなくても任意の視聴番組又は視聴データに戻ることのできるデジタル放送受信装置、デジタル放送録画再生装置、視聴番組受信方法、及び視聴録画データ再生方法を提供する。【解決手段】前に視聴した番組に戻り表示させる旨の指示信号を入力部９より受け取ると、制御部１０は、検索部１３を制御して、履歴情報保存部１２の視聴履歴データを検索させる。検索部１３より検索結果を得た制御部１０は、検索結果に含まれるチャンネル情報を取り出し、選局部１１に出力する。選局部１１は、チャンネル情報をチューナ部３に出力し、特定周波数の信号が取り出され、前に視聴した番組の表示を行なう。【選択図】図１
2009164922.tif 000002
【特許請求の範囲】
【請求項１】
デジタル放送の中から指定されたチャンネルを選択受信する受信手段と、
視聴した番組情報を含む視聴履歴情報を記録する履歴情報保存手段と、
前記視聴履歴情報の検索条件を入力する入力手段と、
前記検索条件に合致する視聴履歴情報を検索して取得する検索手段と、
前記各手段の制御を行なう制御手段とを備え、
前記制御手段は、前記検索手段によって取得された視聴履歴情報から一つの番組情報を選択し、該番組情報内のチャンネル情報を前記受信手段に送って該チャンネルを受信させることを特徴とするデジタル放送受信装置。
【請求項２】
前記制御手段は、前記番組情報を前記デジタル放送に含まれる番組情報から取得して、前記履歴情報保存手段に記録することを特徴とする請求項１に記載のデジタル放送受信装置。
【請求項３】
前記制御手段は、前記検索手段が検索した前記視聴履歴情報が複数ある場合に、所定の条件に基づき番組情報を選択して、前記受信手段に出力することを特徴とする請求項１又は請求項２に記載のデジタル放送受信装置。
【請求項４】
前記制御手段は、前記検索手段の出力した視聴履歴情報を全て受信した場合に、前記入力手段からの前記検索条件の入力を受け付けることを特徴とする請求項３に記載のデジタル放送受信装置。
【請求項５】
前記検索条件は、任意の時間、時間範囲、キーワード、及び番組表を経由しての視聴か否かのうち１つ以上を含むことを特徴とする請求項１から請求項４のいずれか１つに記載のデジタル放送受信装置。
【請求項６】
デジタル放送を録画する記録手段と、
録画データを前記記録手段から取得して再生する再生手段と、
視聴した前記録画データの視聴履歴情報を記録する履歴情報保存手段と、
前記視聴履歴情報の検索条件を入力する入力手段と、
前記検索条件に合致する視聴履歴情報を検索して取得する検索手段と、
前記各手段の制御を行なう制御手段とを備え、
前記制御手段は、前記検索手段によって取得された視聴履歴情報から一つの録画データ情報を選択し、該録画データ情報を前記再生手段に送って再生させることを特徴とするデジタル放送録画再生装置。
【請求項７】
前記記録手段に保存されている前記録画データのリストを生成するリスト作成手段を備え、
前記制御手段は、前記録画データ情報を前記リスト作成手段から取得して、前記履歴情報保存手段に記録することを特徴とする請求項６に記載のデジタル放送録画再生装置。
【請求項８】
前記制御手段は、前記検索手段の出力した前記録画データ情報が複数ある場合に、所定の条件に基づき録画データ情報を選択して、前記再生手段に出力することを特徴とする請求項６又は請求項７に記載のデジタル放送録画再生装置。
【請求項９】
前記制御手段は、前記検索手段が取得した視聴した録画データを全て再生した場合に、前記入力手段からの前記検索条件の入力を受け付けることを特徴とする請求項８に記載のデジタル放送録画再生装置。
【請求項１０】
前記検索条件は、任意の時間、時間範囲、及びキーワードのうち１つ以上を含むことを特徴とする請求項６から請求項９のいずれか１つに記載のデジタル放送録画再生装置。
【請求項１１】
前記履歴情報保存手段には、視聴した番組の視聴履歴情報を記録することを特徴とする請求項６から請求項１０のいずれか１つに記載のデジタル放送録画再生装置。
【請求項１２】
視聴した番組を再度受信する視聴番組受信方法であって、
入力された検索条件により記録された視聴履歴情報を検索するステップと、
検索により取得した視聴履歴情報から一つの番組情報を選択し、該番組情報内のチャンネル情報に基づいて該チャンネルを受信させるステップとを備えることを特徴とする視聴番組受信方法。
【請求項１３】
視聴した録画データを再生させる視聴録画データ再生方法であって、
入力された検索条件により記録された視聴履歴情報を検索するステップと、
検索により取得した視聴履歴情報から一つの録画データ情報を選択し、該録画データ情報に基づいて録画データを再生させるステップとを備えることを特徴とする視聴録画データ再生方法。
【発明の詳細な説明】
【技術分野】
【０００１】
本発明は、デジタル放送を受信して、視聴していた番組又は録画データに戻して視聴するデジタル放送受信装置、デジタル放送録画再生装置、視聴番組受信方法、及び視聴録画データ再生方法に関する。
【背景技術】
【０００２】
２０１１年７月のアナログ放送終了に向け、衛星や地上波を用いたデジタル放送を受信するデジタル放送受信装置が、広く普及してきている。デジタル放送受信装置は、専用アンテナを通して受信した複数の放送波の中から任意の放送波を、チューナを用いて選択する。この放送波には複数のチャンネルが含まれることから、デマルチプレクサ（ＤＥＭＵＸ）により更に任意のチャンネルを選択し、この選択したチャンネルのデジタル信号から映像・音声信号を分離し、デコーダによりデコードされて出力が行なわれる。
【０００３】
デジタル放送では、従来のアナログ放送と同様に映像や音声を送信することに加え、電子番組ガイド（ＥＰＧ：Ｅｌｅｃｔｒｏｎｉｃ  Ｐｒｏｇｒａｍ  Ｇｕｉｄｅ）を利用した番組情報等も送信している。この番組情報には、チャンネル名（放送局名）、番組名、番組開始・終了時刻、番組放送時間長、番組内容情報、番組ジャンル情報等の各種情報が含まれており、デジタル放送受信装置では、ＥＰＧ表示機能を用いて、多チャンネル放送の中から任意の番組を選択し視聴することができる。
【０００４】
この番組情報や視聴履歴情報を利用し、ユーザが前に視聴していた番組に戻ることが可能であり、これに関する技術が開発されてきた。
例えば、データ放送において、視聴した番組の視聴履歴を記憶するとともに、番組のデータを蓄積し、ユーザが視聴した番組を再度視聴したい場合には、データ放送履歴操作ウィンドウを表示させ、その中から選択した番組を視聴することのできる技術が開示されている（例えば、特許文献１参照）。
【０００５】
また、例えば、ＥＰＧを表示させる時に、視聴履歴のある番組の色を変えて表示することにより、元見ていた番組に戻って視聴することのできる技術が開示されている（例えば、特許文献２参照）。
【０００６】
図１３は、例えば特許文献２に示されているような従来のデジタル放送受装置６１の機能ブロック図である。
アンテナ６１でデジタル放送信号を受信する。受信した信号はチューナー６２で映像・音声を含む高周波デジタル変調信号から特定周波数の信号を取り出す。また、選択したデジタル変調信号を復調して、トランスポート・ストリーム（ＴＳ）を出力する。前記ＴＳを、デマルチプレクサ（ＤＥＭＵＸ）６３で、ＭＰＥＧ２（Moving Picture Experts Group2）のビデオストリーム、オーディオストリーム、及び、ＰＳＩ／ＳＩ（Program Specific Information/Service Information）に分離する。ＴＳには、複数のチャンネルが多重化されている。ＳＩには、番組情報が含まれる。ビデオストリーム、及び、オーディオストリームは、ＡＶデコーダ６４にてデコードを行い、生成された映像データは映像処理回路６５に出力され、音声データは音声処理回路６６に出力される。映像処理回路６５は、映像データをＤ／Ａ変換して、例えばコンポジット信号に変換し、映像出力回路６７とＡＶ出力端子６９を介してモニタ７６のディスプレイ７６ａに信号を送り、映像を表示させる。音声処理回路６６は、音声データをＤ／Ａ変換し、音声出力回路６８とＡＶ出力端子６９を介して信号を送り、モニタ７６のスピーカ７６ｂに発音させる。
【０００７】
ＯＳＤ（On-Screen Display）回路７２は、ＣＰＵ７３から出力指示された文字情報や色情報に基づく映像データを加算器８０に出力する。前記ＯＳＤ回路７２により、ＣＰＵ７３が受け取った前述の番組情報に基づくＥＰＧ表示が行えることになる。リモコン送信機７０からキーに対応した指令を意味する信号光を送信すると、リモコン受光器７１は前記信号光を受光し、これを電気信号に変換してＣＰＵ７３に与える。このリモコン送信機７０を用いて、ユーザはＥＰＧ画面上で視聴履歴の確認を行える。不揮発メモリ７４には、ＥＰＧ画面の表示するためのデータ（番組情報等）の他、視聴履歴情報などが格納される。ＣＰＵ７３は、選局処理の度に視聴履歴情報を不揮発性メモリ７４に格納する。不揮発性メモリ７４に格納されたＥＰＧ情報と視聴履歴情報は、ＣＰＵ７３を介しＯＳＤ７２と加算器８０を用いることにより、重ねて表示させることが可能である。
【０００８】
放送番組を録画する手段として、記録メディアを備えた放送番組録画装置というものが、近年ビデオデッキに変わり、普及している。この場合の記録メディアとは、内臓、もしくは、外付けのハードディスク、ＤＶＤ（±Ｒ，ＲＥ，ＲＡＭ，ＶＲ）、ＨＤ−ＤＶＤ（Ｒ，ＲＥ）、Ｂｌｕ−ｒａｙ  Ｄｉｓｃ（Ｒ，ＲＥ）、フラッシュメモリ、ＳＤカード等のことを指す。
【０００９】
これらの放送番組録画装置では、録画したデータ一覧をリスト表示、もしくは、サムネイル表示することができ、ユーザはそのリスト内から任意の録画データを選択して視聴するのが、一般的な操作方法である。
【特許文献１】特開２００２−０４４５４７号公報
【特許文献２】特開２００３−１５８６８８号公報
【発明の開示】
【発明が解決しようとする課題】
【００１０】
しかしながら、特許文献１のデジタル放送受信装置は、データ放送に関する技術であり、視聴していたデータ放送の番組には戻ることができるが、普通の放送番組に戻る手段については開示されていない。
【００１１】
また、特許文献２のデジタル放送受信装置は、どの番組を視聴していたかを確認することが可能だが、その番組をどの順番で何分視聴していたかを確認することはできない。その上、戻りたい視聴番組の番組名を覚えていないと戻れないという問題があった。
【００１２】
また、放送番組録画装置では、録画リストから任意の録画データを選択して視聴することを繰り返した後、元視聴したデータに戻って視聴しなおしたい場合に、再度リストを表示させて録画データを選択しなくてはならず、録画データの番号やタイトル名を覚えていないと戻ることができないという問題があった。
【００１３】
本発明は、上記課題を解決するもので、前に視聴していた番組又は録画データを、番組名又はデータ名を覚えていなくても任意の視聴番組又は視聴データに戻ることのできるデジタル放送受信装置、デジタル放送録画再生装置、視聴番組受信方法、及び視聴録画データ再生方法を提供することを目的とする。
【課題を解決するための手段】
【００１４】
斯かる実情に鑑み、第１の発明によるデジタル放送受信装置は、デジタル放送の中から指定されたチャンネルを選択受信する受信手段と、視聴した番組情報を含む視聴履歴情報を記録する履歴情報保存手段と、前記視聴履歴情報の検索条件を入力する入力手段と、前記検索条件に合致する視聴履歴情報を検索して取得する検索手段と、前記各手段の制御を行なう制御手段とを備え、前記制御手段は、前記検索手段によって取得された視聴履歴情報から一つの番組情報を選択し、該番組情報内のチャンネル情報を前記受信手段に送って該チャンネルを受信させることを特徴とする。
【００１５】
また、第２の発明によるデジタル放送録画装置は、前記制御手段が、前記番組情報を前記デジタル放送に含まれる番組情報から取得して、前記履歴情報保存手段に記録することを特徴とする。
【００１６】
また、第３の発明によるデジタル放送受信装置は、前記制御手段が、前記検索手段が検索した前記視聴履歴情報が複数ある場合に、所定の条件に基づき番組情報を選択して、前記受信手段に出力することを特徴とする。
【００１７】
また、第４の発明によるデジタル放送受信装置は、前記制御手段が、前記検索手段の出力した視聴履歴情報を全て受信した場合に、前記入力手段からの前記検索条件の入力を受け付けることを特徴とする。
【００１８】
また、第５の発明によるデジタル放送受信装置は、前記検索条件が、任意の時間、時間範囲、キーワード、及び番組表を経由しての視聴か否かのうち１つ以上を含むことを特徴とする。
【００１９】
また、第６の発明によるデジタル放送録画再生装置は、デジタル放送を録画する記録手段と、録画データを前記記録手段から取得して再生する再生手段と、視聴した前記録画データの視聴履歴情報を記録する履歴情報保存手段と、前記視聴履歴情報の検索条件を入力する入力手段と、前記検索条件に合致する視聴履歴情報を検索して取得する検索手段と、前記各手段の制御を行なう制御手段とを備え、前記制御手段が、は、前記検索手段によって取得された視聴履歴情報から一つの録画データ情報を選択し、該録画データ情報を前記再生手段に送って再生させることを特徴とする。
【００２０】
また、第７の発明によるデジタル放送録画再生装置は、前記記録手段に保存されている前記録画データのリストを生成するリスト作成手段を備え、前記制御手段は、前記録画データ情報を前記リスト作成手段から取得して、前記履歴情報保存手段に記録することを特徴とする。
【００２１】
また、第８の発明によるデジタル放送録画再生装置は、前記制御手段が、前記検索手段の出力した前記録画データ情報が複数ある場合に、所定の条件に基づき録画データ情報を選択して、前記再生手段に出力することを特徴とする。
【００２２】
また、第９の発明によるデジタル放送録画再生装置は、前記制御手段が、前記検索手段が取得した視聴した録画データを全て再生した場合に、前記入力手段からの前記検索条件の入力を受け付けることを特徴とする。
【００２３】
また、第１０の発明によるデジタル放送録画再生装置は、前記検索条件が、任意の時間、時間範囲、及びキーワードのうち１つ以上を含むことを特徴とする。
【００２４】
また、第１１の発明によるデジタル放送録画再生装置は、前記履歴情報保存手段に、視聴した番組の視聴履歴情報を記録することを特徴とする。
【００２５】
また、第１２の発明による視聴番組受信方法は、視聴した番組を再度受信する視聴番組受信方法であって、入力された検索条件により記録された視聴履歴情報を検索するステップと、検索により取得した視聴履歴情報から一つの番組情報を選択し、該番組情報内のチャンネル情報に基づいて該チャンネルを受信させるステップとを備えることを特徴とする。
【００２６】
また、第１３の発明による視聴録画データ再生方法は、視聴した録画データを再生させる視聴録画データ再生方法であって、入力された検索条件により記録された視聴履歴情報を検索するステップと、検索により取得した視聴履歴情報から一つの録画データ情報を選択し、該録画データ情報に基づいて録画データを再生させるステップとを備えることを特徴とする。
【発明の効果】
【００２７】
本発明によれば、視聴した番組の履歴を保存し、履歴を検索する検索手段を備え、取得した検索結果を利用してチャンネルを切り替えることで、前に視聴した番組に戻って表示することができる。
たとえ前に視聴していた番組のチャンネル番号、番組名等を覚えていなくても視聴した番組に戻ることができるようになる。
【００２８】
また、視聴履歴は、例えば、デジタル放送に含まれる番組情報（ＥＰＧ）を利用して取得することもでき、項目が種々あることから、様々な検索に対応できるデータベースとすることができる。なお、番組情報の取得はＥＰＧに限定されるものではなく、番組情報取得には様々の手段があり、例えばインターネットを介して番組情報データベースにアクセスして取得することも可能である。
【００２９】
また、視聴した番組の検索結果が複数ある場合、設定した所定の条件に基づき自動的に選択して候補の番組を表示することができる。
【００３０】
また、視聴した番組の検索結果が複数ある場合、所定の条件に基づき候補を次々に表示でき、候補にユーザ所望の番組がなく、全て表示し終わった後は、更なる検索条件の入力を受け付けることができる。
【００３１】
また、ユーザは、視聴した番組のタイトル等を記憶していなくても、様々な検索条件を設定して、所望の番組を探すことができる。
【００３２】
また、視聴した録画データの履歴を保存し、履歴を検索する検索手段を備え、取得した検索結果を利用して記録手段から録画データを取得することで、前に視聴した録画データに戻って表示することができる。
たとえ前に視聴していた録画データの録画リスト番号、録画タイトル名等を覚えていなくても視聴した録画データに戻ることができるようになる。
【００３３】
また、視聴履歴は、録画データのリストを生成するリスト作成手段から取得することができ、簡易に様々な検索に対応できるデータベースとすることができる。
【００３４】
また、視聴した録画データの検索結果が複数ある場合、設定した所定の条件に基づき自動的に選択して候補の録画データを表示することができる。
【００３５】
また、視聴した録画データの検索結果が複数ある場合、所定の条件に基づき候補を次々に表示でき、候補にユーザ所望の録画データがなく、全て表示し終わった後は、更なる検索条件の入力を受け付けることができる。
【００３６】
また、ユーザは、視聴した録画データのタイトル等を記憶していなくても、様々な検索条件を設定して、所望の録画データを探すことができる。
【００３７】
また、視聴履歴として、視聴した番組と録画データの情報を記録することで、例えば、放送中の番組を視聴していた後に、本発明の機能を利用して、前に視聴した録画データを再度表示させるといったことが可能であり、放送中の番組、録画データの区別なく、簡易に視聴していたデータを表示させることができる。
【発明を実施するための最良の形態】
【００３８】
以下、本発明の実施の形態を図示例と共に説明する。
【００３９】
（第１の実施形態）
図１は、本発明に係るデジタル放送受信装置の本実施形態における機能ブロック図である。
【００４０】
デジタル放送受信装置１は、アンテナ２から受信したデジタル放送信号から特定周波数の信号を取り出したり、選択したデジタル変調信号を復調して、ＴＳを出力するチューナ部３と、ＭＰＥＧ２のビデオストリーム、オーディオストリーム、及び、ＰＳＩ／ＳＩに分離するデマルチプレクサ部（以下、「ＤＥＭＵＸ部」という）４と、ＤＥＭＵＸ部４で分離したストリームをデコードするＡＶデコーダ部５と、ＡＶデコーダ部５でデコードした映像データを出力用に処理する映像部６とＡＶデコーダ部５でデコードした音声データを出力用に処理する音声部７と、映像部６と音声部７で出力処理をしたデータを同期させ出力する出力部８と、リモコン２０からの入力信号を受け付ける入力部９と、本デジタル放送受信装置１の各種制御を行う制御部１０と、制御部１０から送られた選局情報をチューナ部３へ伝達する選局部１１と、視聴履歴情報を保存する履歴情報保存部１２と、履歴情報保存部１２に対して検索を行う検索部１３と、ＯＳＤ回路１４と、加算器１５とを含んで構成される。
【００４１】
また、出力部８から出力した映像データはＴＶ等のディスプレイ２１により、音声データはスピーカ２２により出力される。
【００４２】
図２は、デジタル放送受信の処理の流れを示したフローチャート図である。
リモコン２０でデジタル放送受信装置１の電源をＯＮにすると、制御部１０は、選局部１１を介し、前回視聴していたチャンネル情報をチューナ部３に出力し、チューナ部３が、チャンネル情報により特定周波数の信号を取り出すことにより、前回視聴時のチャンネルの番組が出力される。ユーザが任意のチャンネルを入力すると（Ｓ１）、入力部９から制御部１０にチャンネル情報が伝えられ、制御部１０の制御により選局部１１からチューナ部３にチャンネル情報が送られる（Ｓ２）。
【００４３】
また、制御部１０は、チャンネル情報等を履歴情報保存部１２に保存しておく（Ｓ３）。
【００４４】
図３は、履歴情報保存部１２の視聴履歴データの一例である。
例えば、タイトル、チャンネル、ジャンル、視聴開始時刻、視聴終了時刻、視聴時間長、番組の内容を短く紹介した番組内容等のデータが保存されている。
【００４５】
視聴履歴データの保存条件としては、履歴情報保存部１２の容量が一杯になるまで全て保存し、満杯になった時点で古いものから消去していくという条件でも良いし、予め保存期間を設定しておき、その期間のみ保存しておくとしても良い。または、デジタル放送受信装置１の電源をＯＦＦにするまで保存しておくなど、様々な保存条件を採用することが可能である。なお、この時チャンネル情報と一緒に番組表（ＥＰＧ）を経由したかどうかの情報も保存しておく。番組表を経由したか識別できるようにすることで、番組検索の条件として、例えば、番組表を経由しないといった設定を行なうことも可能となる。例えば、ユーザが、電源ＯＮ直後の番組を視聴したい場合は、番組表を経由しないという条件で検索すればよい。
【００４６】
一方、アンテナ２は、デジタル放送信号を受信し、アンテナ２から出力を得たチューナ部３は、選局部１１からのチャンネル情報により特定周波数の信号を取り出し、選択したデジタル変調信号を復調して、ＴＳをＤＥＭＵＸ部４に出力する（Ｓ４）。ＤＥＭＵＸ部４は、ＴＳをビデオストリーム、オーディオストリームに分離し（Ｓ５）、ＡＶデコーダ部５にてデコードされ（Ｓ６）、生成された映像データは映像部６に、音声データは音声部７に出力され（Ｓ７）、出力部８を介して映像データはＴＶディスプレイ２１、音声データはスピーカ２２から出力され（Ｓ８）、本処理は終了する。
【００４７】
図４は、履歴情報を利用してユーザが所望の番組を選択するための処理の流れを示すフローチャート図である。
ユーザが複数の番組を視聴した後、今まで視聴していたいずれかの番組視聴に戻りたい場合、例えば、リモコン２０の「戻る」ボタンを押下し、入力部９に信号を伝達する（Ｓ１１）。なお、「戻る」ボタンに、コードを追加して命令を割り振り、前に視聴していた番組に移行するよう指示する信号をデジタル放送受信装置１に送信できるようにしておく。また、レコーダ等の場合で、「戻る」ボタンに他の命令が既に割り振られているときは、長押し、他のキーとの組み合わせ（例えば「メニュー」＋「戻る」など）で、前に視聴していた番組に移行するよう指示できるようにしてもよい。
【００４８】
入力部９から信号の出力を得た制御部１０は、検索部８に、例えば、現在視聴している番組の１つ前に視聴していた番組情報を検索するよう制御信号を出力する（Ｓ１２）。
【００４９】
制御部１０から指示を受けた検索部１３は、履歴情報保存部１２に対し該当の保存データを検索し、１つ前に視聴していた番組のチャンネル情報を制御部１０に返す（Ｓ１３）。検索結果を得た制御部１０は、選局部１１にチャンネル情報を出力することにより（Ｓ１４）、図２のＳ４からＳ８のような番組表示の処理が行なわれ、この場合は１つ前に視聴していた番組を表示させる（Ｓ１５）。
【００５０】
その後、制御部１０は、入力部９からの番組選択の信号、本例の場合であれば、１つ前の番組を選択する信号が入力されたか否かの判定を行なう（Ｓ１６）。入力部９から１つ前の番組に戻るよう信号が伝達されると（Ｓ１６で「ＹＥＳ」）、Ｓ１２の処理に戻り、制御部１０は、検索部１３を制御する。
【００５１】
入力部９から信号がない場合（Ｓ１６で「ＮＯ」）、例えば、所定時間内に入力がない場合や、入力部９から処理を終了する旨の信号が伝達されると、制御部１０は、本処理を終了させる。
【００５２】
以上のように、ユーザが、続けてリモコン２０の「戻る」ボタンを押下することにより、視聴履歴順に戻って番組を視聴することが可能である。
【００５３】
なお、「戻る」以外のボタン、例えば「前」等のボタンに視聴履歴として前に表示した番組に戻れるよう命令を割り振り、視聴履歴順に、次々に戻って表示させている時に、前候補の番組に戻ることができるようにしてもよい。
【００５４】
また、上記のように１つ前の番組に戻ったり、順々に戻るのではなく、種々の検索条件を入力してユーザ所望の番組に戻ることができるとしてもよい。
【００５５】
例えば、番組に戻るための条件設定ＧＵＩ（Ｇｒａｐｈｉｃａｌ  Ｕｓｅｒ  Ｉｎｔｅｒｆａｃｅ）をディスプレイ２１に表示させ、リモコン２０により任意に条件を入力して番組の検索を行ない、任意の番組にジャンプ（スキップ）して戻り、視聴することも可能である。
【００５６】
図５は、条件入力による番組検索の処理の流れの一例を示したフローチャート図である。
【００５７】
放送受信装置１の電源をＯＮにし、ユーザが、番組を視聴中に、前に視聴していた番組を選択するために割り当てられたリモコンのボタン、例えば、「戻る」ボタンを押下すると（Ｓ２１）、信号が入力部９から制御部１０に伝達され、制御部１０は、ＯＳＤ回路１４に戻る番組を検索するためのＧＵＩのデータを加算器１５に出力するよう指示し、該ＧＵＩのデータは加算器１５によりＡＶデコーダから出力される映像データに組み込まれ、映像部６、出力部８を介して、ディスプレイ２１に表示される（Ｓ２２）。ユーザは、番組検索画面を見てリモコン２０により入力を行なうが、例えば、上下ボタンや決定ボタンの押下、又は直接文字入力がなされ、視聴した番組を検索する条件が選択される。
【００５８】
制御部１０は、入力部９から信号が伝達されたか否かの判定を繰り返し（Ｓ２３）、入力があると判定すると（Ｓ２３で「ＹＥＳ」）、制御部１０は、該信号がどの検索条件についてのものなのか判定を行なう。
【００５９】
まず、制御部１０は、入力部９からの信号が、例えば、１つ前の視聴番組を選択したものか判定を行なう（Ｓ２４）。前記信号が１つ前の視聴番組を選択したものであれば（Ｓ２４で「ＹＥＳ」）、制御部１０は、図４のＳ１２〜１５で説明したように、検索部１３を制御し、履歴情報保存部１２より１つ前の視聴番組のチャンネル情報を取得して、表示させ（Ｓ２５）、本処理を終了する。
【００６０】
前記信号が１つ前の視聴番組を選択したものでなければ（Ｓ２４で「ＮＯ」）、制御部１０は、番組表を経由したかを確認し（Ｓ２６）、次に視聴時間長についてのものか（Ｓ２７）、視聴時間長についてのものでなければ（Ｓ２７で「ＮＯ」）、制御部１０は、更に視聴開始時間についてのものか（Ｓ２８）、視聴開始時間についてのものでなければ（Ｓ２８で「ＮＯ」）、視聴終了時間についてのものか（Ｓ２９）、視聴終了時間についてのものでなければ（Ｓ２９で「ＮＯ」）、現時点から所定時間遡った範囲内についてか（Ｓ３０）、所定時間遡った範囲内でなければ（Ｓ３０で「ＮＯ」）、キーワードを指定したものか（Ｓ３１）、判定が行なわれる。
【００６１】
それぞれの判定に該当すれば（Ｓ２６〜Ｓ３１のいずれかで「ＹＥＳ」）、制御部１０は、検索条件と指定の数値又は文字情報を検索部１３に出力し、検索部１３に履歴情報保存部１２の検索を行なわせ、検索結果が複数の番組に該当するものか判定を行なう（Ｓ３２）。
【００６２】
なお、指定の数値又は文字情報とは、Ｓ２７の視聴時間長、Ｓ３０の時間範囲を指定する場合は、時間の長さを示す数値、Ｓ２８の視聴開始時間、Ｓ２９の視聴終了時間を指定する場合は、時刻を示す数値、Ｓ３１のキーワード検索の場合は、文字情報のことである。
【００６３】
検索結果が複数の番組に該当しなければ（Ｓ３２で「ＮＯ」）、制御部１０は、Ｓ２５の処理に進む。
【００６４】
検索結果が複数の番組に該当すれば（Ｓ３２で「ＹＥＳ」）、制御部１０は、設定されている所定の規則に従い、例えば、視聴時間が新しい番組を選択し、該番組のチャンネル情報を選局部１１に出力し、図４のＳ１４、Ｓ１５の処理を行なうことにより、該当した番組のうち１つの番組の表示を行なわせる（Ｓ３３）。番組を選択する所定の規則の設定は、ユーザがリモコン２０等を操作して、入力部９より入力し、制御部１０が検索部１３に設定するとしてもよいし、製品製造時に予め設定するとしてもよい。
【００６５】
ユーザは、表示された番組が、所望の番組でない場合、リモコン２０の、例えば「戻る」ボタンを押下して、別の候補となった番組を表示させるようにする。
【００６６】
制御部１０は、カウンタ等で計時して所定時間内に、入力部９より例えば「戻る」等の別候補選択を示す信号が入力されたかの判定を行なう（Ｓ３４）。所定時間内に入力がなされなければ（Ｓ３４で「ＮＯ」）、本処理を終了する。
【００６７】
「戻る」の入力がなされれば（Ｓ３４で「ＹＥＳ」）、制御部１０は、検索結果の番組を全て表示したかの判定を行ない（Ｓ３５）、全て表示していなければ（Ｓ３５で「ＮＯ」）、検索結果のうち、次の候補となる番組を選択し、Ｓ３３の処理に戻る。
【００６８】
検索結果の番組を全て表示した場合（Ｓ３５で「ＹＥＳ」）、制御部１０は、Ｓ２２の処理に戻り、ディスプレイ２１に、再度、番組検索ＧＵＩを表示させる。
【００６９】
このように検索結果が複数ある場合は、該当番組が表示されるまで「戻る」ボタンで候補を次々表示し、順に戻ることが可能である。また、全て表示し、該当番組が候補に無かった場合、任意の条件を再入力して再検索することも可能である。
【００７０】
また、Ｓ３１の判定でＮＯとなり、設定されているどの検索条件にも該当しない場合も、Ｓ２２の処理に戻り、ディスプレイ２１に、再度、番組検索ＧＵＩを表示させる。
【００７１】
上記に示した条件の他、Ｓ２２で、複数の条件をＡＮＤやＯＲ検索としたり、電源ＯＮ直後の最初の番組を検索等といった検索条件の設定ができるとしてもよい。
【００７２】
以上のように、ユーザは、番組のタイトル等を記憶していなくても、前に視聴していた番組を所定の規則で表示させることにより所望の番組を視聴することが可能となる。
【００７３】
なお、上記の説明では、リモコン２０のボタン操作について説明したが、リモコン２０にタッチパネル機能や、ペン入力機能が付加されていて、番組の検索条件を入力することができるとしてもよい。
【００７４】
また、図５のフローチャートで示した検索条件（Ｓ２４、Ｓ２６〜Ｓ３１）の項目、検索条件の判定順は一例であり、検索条件をこの中のいくつかとしたり、順序が異なる設定をしていてもよく、本発明の課題に対する作用・効果は同様である。
【００７５】
また、検索の結果、該当する番組の放送時間が終了していた場合、制御部１０は、ＯＳＤ回路１４を制御して、放送が終了している旨、番組名、チャンネル番号、又は番組内容等を表示させるとしてもよい。
【００７６】
また、本実施形態のようなデジタル放送受信の場合、番組表より番組を選択してから表示させるまでにタイムラグがある。番組を表示させた時の放送データの一部も、視聴履歴情報と関連させた状態で履歴情報保存部１２に登録するとしてもよい。この場合、制御部１０は、ＤＥＭＵＸ部４から放送時のデータを取得して、履歴情報保存部１２に登録を行なう。
【００７７】
制御部１０は、番組を選択する入力があった場合、選択した番組の視聴履歴があるか検索部１３を制御して検索を行ない、該当する番組があったときは、該番組の放送データをＡＶデコーダ部５に出力する。ＡＶデコーダ部５は、選択した番組の放送データを受信して取得するまで、履歴情報保存部１２からのデータを出力する。
【００７８】
上記のタイムラグ時に表示する放送データは、例えば、番組の最初からでもよいし、番組終了の５秒前からとしてもよい。
【００７９】
履歴情報保存部１２に保存する放送データは、タイムラグが通常数秒であるので、全て保存する必要はなく、一部のみとすることにより記憶容量を抑えることができる。
【００８０】
図６は、本実施形態における一操作例を示すための図である。
この操作例を図５のフローチャートに当てはめて説明する。
【００８１】
まず、図６（ａ）のようにユーザがある番組を２０分視聴している時に、図６（ｂ）のように番組表を表示させ、違う番組３０を選択し、図６（ｃ）のように選択した違う番組を５分視聴した。更に、図６（ｄ）のように番組表を表示させ、違う番組３１を選択し、図６（ｅ）のように選択した番組を１０分視聴した。
【００８２】
この場合に、元の番組に戻って視聴したいが、ユーザは番組名やチャンネルを覚えていない状態であったとする。ユーザは、リモコン２０の例えば「戻る」ボタンを押下し、前に視聴した番組に戻る旨の信号をデジタル放送受信装置１に送信する（Ｓ２１）。入力部９から制御部１０に信号が伝わり、制御部１０はＯＳＤ回路１４を制御して図６（ｆ）のように番組検索画面を表示させる（Ｓ２２）。
【００８３】
ユーザは、検索条件としてプルダウンメニュー３２から「一番長く視聴」を選択し、「戻る」ボタン３３を選択して入力したとする。
【００８４】
なお、番組検索画面には、上記のようなプルダウンメニュー３２の他に、視聴時間長を設定するための「３分」、「５分」、「１０分」、「３０分」等のプルダウンメニューを表示させるとしてもよい。また、その他の時間を設定するもの、キーワードに関しジャンル等の一般的なものについても、いくつかの候補を用意し、プルダウンメニューとしてもよい。勿論、プルダウンメニューでなく、直接入力としてもよい。
【００８５】
入力部９を介し、制御部１０は、番組選択に関する信号を認識し（Ｓ２３で「ＹＥＳ」）、該信号が１つ前の視聴番組を選択するものか判定を行なう（Ｓ２４）。
【００８６】
該信号は、一番長く視聴した番組を選択するものなので（Ｓ２４及びＳ２６で「ＮＯ」）、制御部１０は、該信号が視聴番組長についてなのか判定する（Ｓ２７）。該当するので（Ｓ２７で「ＹＥＳ」）、制御部１０は、検索部１３を制御して、一番長く視聴した番組を履歴情報保存部１２から検索する。検索結果が、一番長く視聴した番組なので該当する番組は１つであり（Ｓ３２で「ＮＯ」）、制御部１０は、検索結果のチャンネル情報を選局部１１に出力し、図６（ｇ）のように選択した番組を表示させ（Ｓ２５）、本処理を終了する。
【００８７】
以上に説明したように、ユーザは、戻りたい番組の番組名やチャンネルを覚えていなくとも所望の番組を種々検索して視聴することができる。
【００８８】
（第２の実施形態）
図７は、本発明に係る録画機能を備えたデジタル放送受信装置４１の本実施形態における機能ブロック図である。図中、図１及び図１３と同一の符号を付した部分は同一物を表わし、説明を省略する。
【００８９】
本実施形態のデジタル放送受信装置４１の機能において第１の実施形態と異なる点は、放送データを保存する記録部４２と、制御部４３の制御により録画した放送データのリストを作成するリスト作成部４４とを備える点である。
【００９０】
記録部４２は、デジタル放送受信装置４１に内蔵又は外付けのハードディスク等である。リモコン２０の操作による入力部９からの信号により、制御部４３は、ＤＥＭＵＸ部４５を制御して、記録部４２にＭＰＥＧ２の状態の放送データを出力させて保存する。
【００９１】
また、ハードディスクに保存する代わりに、デジタル放送受信装置４１は、記録媒体用ドライブを備え、制御部４３の制御により、記録媒体に放送データを保存し、保存した放送データは読取部に読み取られ、ＡＶデコーダ部５に出力されて再生されるとしてもよい。記録媒体（メディア）は、内蔵のハードディスク以外にも、外付けのハードディスク、ＤＶＤ（±Ｒ，ＲＥ，ＲＡＭ，ＶＲ）、ＨＤ−ＤＶＤ（Ｒ，ＲＥ）、Ｂｌｕ−ｒａｙ  Ｄｉｓｃ（Ｒ，ＲＥ）、フラッシュメモリ、ＳＤカード等であってもよい。
【００９２】
リスト作成部４４は、制御部４３の制御により、記録部４２より取得した放送データの情報から、放送データの録画リストを生成する。
【００９３】
図８は、録画データの再生処理の流れを示したフローチャート図である。
リモコン２０で録画データリスト表示を選択すると、入力部９から制御部４３に命令が送られ（Ｓ４１）、制御部４３は、リスト作成部４４を、録画データリスト生成するよう制御する。リスト作成部４４は、録画データの情報を記録部４２から取得して、録画データリスト情報を生成し、制御部４３に出力する。制御部４３は、録画データリスト情報をＯＳＤ回路１４に出力し、第１の実施形態で説明したように、ディスプレイ２１に録画データリストが表示される（Ｓ４２）。
【００９４】
制御部４３は、録画データの選択が入力部９よりなされるか判定を繰り返す（Ｓ４３）。録画データの選択の入力がなされると、制御部４３は、録画データを特定する情報を履歴情報保存部４６に保存するとともに（Ｓ４４）、ＤＥＭＵＸ部４５に録画データを特定する情報を出力し、ＤＥＭＵＸ部４５は、録画データを記録部４２から取得し、ＡＶデコーダ部５に出力する（Ｓ４５）。この後のＳ４６〜Ｓ４８の処理は、図２のＳ６〜Ｓ８と同様であるので説明を省略する。
【００９５】
以上のような処理を行ない、視聴した録画データを特定する情報は、履歴情報保存部４６に保存される。
【００９６】
図９は、履歴情報保存部４６の視聴履歴データの一例である。
基本的には、第１の実施形態と同様である。異なる点は、視聴した番組の情報の他に、視聴した録画データの情報も保存している点である。例えば、録画日時（録画開始時刻、録画終了時刻）、録画時間長、録画先、録画モード、録画or番組等の情報である。録画データの情報は、リスト作成部４４が生成する録画データリスト情報から取得する。例えば、図９に示すように、番組Ｄが録画データの再生であった場合、録画or番組の欄を設け、リアルタイムの番組の視聴と録画した番組の視聴とを区別できる識別情報を入力する。図９では、例として、４つの視聴履歴が記載されているが、容量が許容できる限り記録することができる。
【００９７】
図１０は、条件入力による視聴データ検索の処理の流れの一例を示したフローチャート図である。
【００９８】
図１０のＳ５１〜Ｓ５３は、図４のＳ１１〜１３と、図１０のＳ５７、Ｓ５８は、図４のＳ１５、Ｓ１６と同様であるので、説明を省略し、異なる処理のみ説明する。
【００９９】
制御部４３は、検索部１３から検索結果を得ると、放送している番組情報か、録画データ情報かの判定を行なう（Ｓ５４）。検索結果が放送している番組情報であった場合（Ｓ５４で「ＮＯ」）、制御部４３は、選局部１１にチャンネル情報を出力して（Ｓ５５）、番組を表示させる。検索結果が録画データ情報であった場合（Ｓ５４で「ＹＥＳ」）、制御部４３は、ＤＥＭＵＸ部４５に録画データ情報を出力して（Ｓ５６）、録画データを表示させる。
【０１００】
以上のような処理を行なうことによって、前に見た番組がリアルタイムの放送データであっても、録画データであっても、ユーザがリモコンにより「戻る」を指示するのみで、再度表示することが可能となる。
【０１０１】
図１１は、条件入力による視聴データ検索の処理の流れの一例を示したフローチャート図である。第１の実施形態の図５と処理の流れは同様である。
図１２は、本実施形態における一操作例を示すための図である。この操作例を図１１のフローチャート図に当てはめて説明する。
【０１０２】
まず、図１２（ａ）のようにユーザが録画データリストを表示させ、録画データ５０を選択し、図１２（ｂ）のように選択した録画データを視聴した。更に、図１２（ｃ）のように録画データリストを表示させ、違う録画データ５１を選択し、図１２（ｄ）のように選択した録画データを視聴した。この後、図１２（ｅ）のように番組表を表示し、図１２（ｆ）のようにある番組５２を視聴したとする。
【０１０３】
この場合に、元の録画データに戻って視聴したいが、ユーザは録画データ名を覚えていない状態であったとする。ユーザは、リモコン２０の例えば「戻る」ボタンを押下し、前に視聴したデータに戻る旨の信号をデジタル放送受信装置４１に送信する（Ｓ６１）。入力部９から制御部４３に信号が伝わり、制御部４３はＯＳＤ回路１４を制御して図１２（ｇ）のように視聴データ検索画面を表示させる（Ｓ６２）。
【０１０４】
ユーザは、検索条件としてプルダウンメニュー５３から「キーワード」を選択し、入力欄５４に「茶色い犬」と入力し、「戻る」ボタン５５を選択して入力したとする。
【０１０５】
なお、視聴データ検索画面には、キーワードに関しジャンル等の一般的なものについて、いくつかの候補を用意し、プルダウンメニューを表示させるとしてもよい。また、その他の時間を設定するもの等をプルダウンメニューとしてもよい。勿論、プルダウンメニューでなく、直接入力としてもよい。
【０１０６】
入力部９を介し、制御部４３は、視聴データ選択に関する信号を認識し（Ｓ６３で「ＹＥＳ」）、該信号が１つ前の視聴番組を選択するものか判定を行なう（Ｓ６４）。
【０１０７】
該信号は、キーワードにより選択するものなので（Ｓ６４及びＳ６７〜Ｓ７０で「ＮＯ」、及びＳ６６で番組表経由かどうかを確認）、制御部４３は、該信号がキーワードについてなのか判定する（Ｓ７１）。該当するので（Ｓ７１で「ＹＥＳ」）、制御部１０は、検索部１３を制御して、履歴情報保存部４６に保存されている、例えば図９のような視聴履歴データからキーワード検索を行なわせる。検索結果が、１つの視聴データであれば（Ｓ７２で「ＮＯ」）、制御部４３は、選択した視聴データを表示させる（Ｓ６５）。検索結果が、複数の視聴データに該当すれば（Ｓ７２で「ＹＥＳ」）、制御部４３は、設定された規則により元に視聴したデータを表示していく（Ｓ７３）。ユーザのリモコン２０操作により別の視聴データの候補を表示させる入力がなされると、制御部４３は、該当するデータを全て表示し終わるまで表示する。図１２の例の場合、「茶色い犬」のキーワードに該当するのは、録画データの１件のみなので、制御部４３は、ＤＥＭＵＸ部４５に録画データ情報を出力して、図１２（ｈ）のように録画データ５０を再生させ、本処理を終了する。
【０１０８】
以上に説明したように、ユーザは、戻りたい視聴データのデータ名やチャンネル等を覚えていなくとも所望の視聴データを検索して視聴することができる。
【０１０９】
また、従来であると、録画データを視聴していて、前に視聴していた録画データを再度視聴したい場合、一旦、録画データリストを表示させて、所望の録画データを選択する操作が必要であったが、本発明においては、前に視聴していた録画データに戻って視聴したい場合、例えば、リモコンの「戻る」ボタンを選択するのみで、視聴することが可能となり、ユーザの利便性が増す。
【０１１０】
なお、本実施形態では、録画機能付きのデジタル放送受信装置を例にして説明したが、デジタル放送受信機能と録画再生機能が別個の装置で実現されていてもよい。
【０１１１】
また、デジタル放送の受信に限らず、ネットワークを介してコンテンツを受信する装置であって、再生したコンテンツの履歴を保存し、元視聴したコンテンツに戻って再生することができるとしてもよい。
【０１１２】
尚、本発明のデジタル放送受信装置、デジタル放送録画装置及び視聴データ表示方法は、上述の図示例にのみ限定されるものではなく、本発明の要旨を逸脱しない範囲内において種々変更を加え得ることは勿論である。
【図面の簡単な説明】
【０１１３】
【図１】本発明に係るデジタル放送受信装置の第１の実施形態における機能ブロック図である。
【図２】第１の実施形態におけるデジタル放送受信の処理の流れを示したフローチャート図である。
【図３】第１の実施形態における履歴情報保存部の視聴履歴データの一例である。
【図４】第１の実施形態における履歴情報を利用してユーザが所望の番組を選択するための処理の流れを示すフローチャート図である。
【図５】第１の実施形態における条件入力による番組検索の処理の流れの一例を示したフローチャート図である。
【図６】第１の実施形態における一操作例を示すための図である。
【図７】本発明に係るデジタル放送受信装置の第２の実施形態における機能ブロック図である。
【図８】第２の実施形態における録画データ再生の処理の流れを示したフローチャート図である。
【図９】第２の実施形態における履歴情報保存部の視聴履歴データの一例である。
【図１０】第２の実施形態における履歴情報を利用してユーザが所望の視聴データを選択するための処理の流れを示すフローチャート図である。
【図１１】第２の実施形態における条件入力による視聴データ検索の処理の流れの一例を示したフローチャート図である。
【図１２】第２の実施形態における一操作例を示すための図である。
【図１３】従来のデジタル放送受信装置の機能ブロック図である。
【符号の説明】
【０１１４】
１、４１、６１  デジタル放送受信装置
２  アンテナ
３  チューナ部
４、４５  ＤＥＭＵＸ部
５  ＡＶデコーダ部
６  映像部
７  音声部
８  出力部
９  入力部
１０、４３  制御部
１１  選局部
１２、４６  履歴情報保存部
１３  検索部
１４  ＯＳＤ回路
１５  加算器
２０  リモコン
２１  ディスプレイ
２２  スピーカ
４２  記録部
４４  リスト作成部
６２  ＣＰＵ
６３  不揮発性メモリ
【図１】
2009164922.tif 000003
【図２】
2009164922.tif 000004
【図３】
2009164922.tif 000005
【図４】
2009164922.tif 000006
【図５】
2009164922.tif 000007
【図６】
2009164922.tif 000008
【図７】
2009164922.tif 000009
【図８】
2009164922.tif 000010
【図９】
2009164922.tif 000011
【図１０】
2009164922.tif 000012
【図１１】
2009164922.tif 000013
【図１２】
2009164922.tif 000014
【図１３】
2009164922.tif 000015